(57)【要約】【課題】室内において検出された室内情報に基づいて、空気調和機及び送風機の運転条件を自動的に調整することができ、実用性や快適性を向上させることのできる空気調和システムを提供する。【解決手段】空気調和システム１０は、室内に配置される空気調和機１１（空気調和機本体１２）と、室内に配置される送風機３０と、室内に配置される端末装置（リモコン４０、子機５０Ａ，５０Ｂ）と、空気調和機１１と送風機３０と端末装置（リモコン４０、子機５０Ａ，５０Ｂ）との間で通信を行う通信手段（通信部１５，３２，４２，５１）と、室内に配置される室内情報検出手段（センサ部２０，３３，４５，５２）とを備え、空気調和機１１は、室内情報検出手段（センサ部２０，３３，４５，５２）による室内情報に基づいて送風機３０を制御する制御部１４を備える。【選択図】図１
2019184218.tif 000002
【特許請求の範囲】
【請求項１】
室内に配置される空気調和機と、
前記室内に配置される送風機と、
前記室内に配置される端末装置と、
前記空気調和機と前記送風機と前記端末装置との間で通信を行う通信手段と、
前記室内に配置される室内情報検出手段とを備え、
前記空気調和機は、前記室内情報検出手段による室内情報に基づいて前記送風機を制御する制御部を備える、空気調和システム。
【請求項２】
前記空気調和機の前記制御部は、前記空気調和機の運転開始時に、前記空気調和機及び前記送風機の両方を運転条件が通常運転時よりも風量が増量される風量増量運転となるように制御する、請求項１に記載の空気調和システム。
【請求項３】
前記空気調和機の前記制御部は、前記室内情報検出手段による室内情報の一つである室内温度が設定温度に到達したときに、前記空気調和機を運転条件が通常運転時よりも風量が抑制される風量抑制運転となるように制御すると共に、前記送風機を運転条件が通常運転となるように制御する、請求項２に記載の空気調和システム。
【請求項４】
前記空気調和機の前記制御部は、前記室内情報検出手段により前記室内に居る人が検出されているときに、前記空気調和機からの送風が前記室内に居る人に直接当たらないように前記空気調和機及び前記送風機を制御する、請求項１から３の何れか一項に記載の空気調和システム。
【請求項５】
前記空気調和機は、前記室内の衣類の乾燥を促進する衣類乾燥機能を備え、
前記空気調和機の前記制御部は、衣類乾燥時に、前記空気調和機を運転条件が通常運転時よりも風量が抑制される風量抑制運転となるように制御すると共に、前記送風機を運転条件が通常運転時よりも風量が増量される風量増量運転となるように制御し、さらに、前記送風機からの送風が前記室内の衣類に直接当たるように前記送風機を制御する、請求項１から４の何れか一項に記載の空気調和システム。
【請求項６】
前記端末装置は、リモートコントローラを備え、
前記通信手段は、前記空気調和機と前記リモートコントローラとの間では赤外線通信を行い、前記空気調和機と前記送風機との間では無線通信を行う、請求項１から５の何れか一項に記載の空気調和システム。
【請求項７】
前記端末装置は、前記室内の任意の位置に配置されるマーカをさらに備え、
前記通信手段は、前記空気調和機と前記リモートコントローラとの間では赤外線通信を行い、前記空気調和機と前記送風機との間、及び、前記空気調和機と前記マーカとの間では無線通信を行う、請求項６に記載の空気調和システム。
【発明の詳細な説明】
【技術分野】
【０００１】
本実施の形態は、空気調和システムに関する。
【背景技術】
【０００２】
従来より、室内の冷暖房（冷房又は暖房）を行うエアコンディショナ等の空気調和機と、扇風機及びサーキュレータ等の送風機とを組み合わせて使用することにより、空気調和機による冷暖房の効果（冷房効果又は暖房効果）を向上させる技術が提案されている。
【先行技術文献】
【特許文献】
【０００３】
【特許文献１】特開２０１６−１３０６００号公報
【発明の概要】
【発明が解決しようとする課題】
【０００４】
従来の空気調和システムでは、空気調和機及び送風機を用いて、実用性、省エネ性及び快適性を向上させるための具体的な運転条件については開示されていない。
【０００５】
本実施の形態は、室内において検出された室内情報に基づいて、空気調和機及び送風機の運転条件を自動的に調整することができ、実用性、省エネ性及び快適性を向上させることのできる空気調和システムを提供する。
【課題を解決するための手段】
【０００６】
本実施の形態の一態様によれば、室内に配置される空気調和機と、前記室内に配置される送風機と、前記室内に配置される端末装置と、前記空気調和機と前記送風機と前記端末装置との間で通信を行う通信手段と、前記室内に配置される室内情報検出手段とを備え、前記空気調和機は、前記室内情報検出手段による室内情報に基づいて前記送風機を制御する制御部を備える、空気調和システムが提供される。
【発明の効果】
【０００７】
本実施の形態によれば、室内において検出された室内情報に基づいて、空気調和機及び送風機の運転条件を自動的に調整することができ、実用性、省エネ性及び快適性を向上させることのできる空気調和システムを提供することができる。
【図面の簡単な説明】
【０００８】
【図１】本技術を適用した一実施の形態に係る空気調和システムの機能構成を示すブロック図。
【図２】本技術を適用した一実施の形態に係る空気調和システムの機能構成（通信部の具体的構成）を示すブロック図。
【図３】本技術を適用した一実施の形態に係る空気調和システムの冷房運転時制御の一例を示すフローチャート。
【図４】本技術を適用した一実施の形態に係る空気調和システムの暖房運転時制御の一例を示すフローチャート。
【図５】本技術を適用した一実施の形態に係る空気調和システムの衣類乾燥運転時制御の一例を示すフローチャート。
【発明を実施するための形態】
【０００９】
図面を参照して、実施の形態を説明する。以下の図面の記載において、同一又は類似の部分には同一又は類似の符号を付している。
【００１０】
また、以下に示す実施の形態は、技術的思想を具体化するための装置や方法を例示するものであって、構成部品の材質、形状、構造、配置等を下記のものに特定するものでない。この実施の形態は、特許請求の範囲において、種々の変更を加えることができる。
【００１１】
図１から図５を参照して、本技術を適用した一実施の形態に係る空気調和システム１０について説明する。
【００１２】
［空気調和システムの機能構成例］
図１は、本技術を適用した一実施の形態に係る空気調和システム１０の機能ブロック図である。
【００１３】
図１に示すように、空気調和システム１０は、空気調和機（エアコンディショナ）１１と、室内に配置される送風機（扇風機又はサーキュレータ）３０と、室内に配置される端末装置としてのリモートコントローラ（以下、「リモコン」という。）４０と、室内に配置される端末装置としての子機（マーカ）５０Ａ，５０Ｂとを備える。
【００１４】
空気調和機１１は、室内に配置される空気調和機本体（室内機）１２と、室外に配置される室外機１３とを備える。空気調和機１１は、送風機３０と連動して動作することが可能である。
【００１５】
空気調和機本体１２は、空気調和機１１全体を制御する制御部１４と、通信部１５と、室内機構成要素（熱交換器１６、室内ファン１７、上下風向板１８、左右風向板１９、上下風向板１８を駆動する第一モータＭ１、左右風向板１９を駆動する第二モータＭ２等）と、センサ部２０とを備える。
【００１６】
制御部１４は、空気調和機１１の運転条件（送風温度、送風湿度、風量、風向範囲、運転時間等）を制御する。
【００１７】
具体的には、制御部１４は、第一モータＭ１を駆動して、上下風向板１８を上下方向にスイング（揺動）させる。また、制御部１４は、第二モータＭ２を駆動して、左右風向板１９を左右方向にスイング（揺動）させる。これにより、空気調和機本体１２の空気吹出口（不図示）からの送風が上下方向及び左右方向にスイングし、室内の広い範囲（任意の方向）にわたって風を送れるようになる。
【００１８】
通信部１５は、例えば、ＷｉＦｉ（登録商標）、Ｂｌｕｅｔｏｏｔｈ（登録商標）、Ｗｉ−ＳＵＮ（登録商標）等の近距離無線通信方式、又は赤外線通信等で他の機器（送風機３０、リモコン４０、子機５０Ａ，５０Ｂ）との間で通信するためのインターフェースである。制御部１４は、通信部１５を制御して、送風機３０、リモコン４０及び子機５０Ａ，５０Ｂとの間で情報を送受信する。
【００１９】
また、通信部１５は、操作者が自身の、スマートフォン、スマートウォッチ及びタブレット型端末等の携帯端末を用いて室外から空気調和システム１０の運転条件を設定させるための機能を有していてもよい。このような機能があると、操作者が室内に入る前にあらかじめ運転条件を設定し、空気調和システム１０を制御することができ、操作者が室内に戻った時には、室内をより快適な環境にすることが可能となる。
【００２０】
室外機１３は、空気調和機本体１２に接続される。室外機１３は、例えば屋外に配置されるものであり、冷媒を圧縮する圧縮機２１、熱交換器２２、室外ファン２３及び膨張弁（不図示）等を備えて構成される。圧縮機２１、室外機１３の熱交換器２２、膨張弁及び空気調和機本体（室内機）１２の熱交換器１６の順で冷媒配管により接続され、冷媒が循環する冷媒サイクルを構成する。
【００２１】
室外機１３の熱交換器２２は、圧縮機２１により圧縮された高温高圧の気体の冷媒ガスを室外ファン２３によって空冷することで凝縮させる。この冷媒ガスの凝縮により室外機１３の熱交換器２２にて発生した熱は、室外ファン２３により室外機１３の吸込口から吸い込まれた空気に与えられ、室外機１３外に吹き出される。
【００２２】
膨張弁は、室外機１３の熱交換器２２から冷媒を減圧し、減圧された冷媒ガスは、室外機１３の熱交換器２２にて蒸発する。室内ファン１７により空気調和機本体１２内に吸い込まれた空気は、空気調和機本体１２の熱交換器１６によって吸熱される。この吸熱された空気は、空気調和機本体１２外へ吹き出される。このように、冷媒の凝縮及び蒸発によって、室外機１３及び空気調和機本体１２における空気が熱交換され、室内の空気が空調される。
【００２３】
センサ部２０は、例えば、室内の人の有無を検出する人感センサ（人検出手段）、空気調和機本体１２周囲の温度を検出する温度センサ、空気調和機本体１２周囲の湿度を検出する湿度センサ、室内における送風機３０、リモコン４０及び子機５０Ａ，５０Ｂの位置を検出する位置検出センサ（位置検出手段）、風向センサ、風量センサ等を備えて構成される。人感センサ（人検出手段）は、室内の人の存在、動き及び位置の内の少なくとも一つを検出するものであり、例えば、赤外線センサ又は撮像装置により構成される。
【００２４】
リモコン４０は、端末装置の一種であり、リモコン４０全体を制御するための制御部４１と、通信部４２と、操作部４３と、表示部４４と、センサ部４５とを備える。リモコン４０は、室内の任意の位置に配置することが可能であり、室内に移動可能に設置される。
【００２５】
通信部４２は、空気調和機本体１２の通信部１５と同様に、例えば、ＷｉＦｉ、Ｂｌｕｅｔｏｏｔｈ、Ｗｉ−ＳＵＮ等の近距離無線通信方式、又は赤外線通信等で他の機器（空気調和機本体１２、送風機３０、子機５０Ａ，５０Ｂ）との間で通信するためのインターフェースである。制御部４１は、通信部４２を制御して、空気調和機本体１２との間で情報を送受信する。具体的には、制御部４１は、通信部４２を介して、操作部４３において操作された内容及び、センサ部４５にて検出された各種情報を空気調和機本体１２に送信する。
【００２６】
操作部４３は、運転の開始及び停止を指示するための運転開始／停止ボタン、温度を調節するための温度調節ボタン、風向を切り替えるための風向切替ボタン、冷房運転モード、暖房運転モード、自動運転モード又は衣類乾燥運転モードを選択するための運転モード切替ボタン等の各種ボタンを含み、操作者の操作を受け付ける。
【００２７】
センサ部４５は、空気調和機本体１２のセンサ部２０と同様に、例えば、室内の人の有無を検出する人感センサ（人検出手段）、リモコン４０周囲の温度を検出する温度センサ、リモコン４０周囲の湿度を検出する湿度センサ、室内における空気調和機本体１２、送風機３０及び子機５０Ａ，５０Ｂの位置を検出する位置検出センサ（位置検出手段）、風向センサ、風量センサ等を備えて構成される。人感センサ（人検出手段）は、室内の人の存在、動き及び位置の内の少なくとも一つを検出するものであり、例えば、赤外線センサ又は撮像装置により構成される。
【００２８】
子機５０Ａ，５０Ｂは、携帯装置の一種であり、マーカとして機能するものである。子機５０Ａ，５０Ｂはそれぞれ、通信部５１と、センサ部５２とを備える。子機５０Ａ，５０Ｂは、室内の任意の位置に配置することが可能であり、室内に移動可能に設置される。
【００２９】
通信部５１は、空気調和機本体１２の通信部１５と同様に、例えば、ＷｉＦｉ、Ｂｌｕｅｔｏｏｔｈ、Ｗｉ−ＳＵＮ等の近距離無線通信方式、又は赤外線通信等で他の機器（空気調和機本体１２、送風機３０、リモコン４０）との間で通信するためのインターフェースである。
【００３０】
センサ部５２は、空気調和機本体１２のセンサ部２０と同様に、例えば、室内の人の有無を検出する人感センサ（人検出手段）、子機５０Ａ，５０Ｂ周囲の温度を検出する温度センサ、子機５０Ａ，５０Ｂ周囲の湿度を検出する湿度センサ、室内における空気調和機本体１２、送風機３０及びリモコン４０の位置を検出する位置検出センサ（位置検出手段）、風向センサ、風量センサ等を備えて構成される。人感センサ（人検出手段）は、室内の人の存在、動き及び位置の内の少なくとも一つを検出するものであり、例えば、赤外線センサ又は撮像装置により構成される。
【００３１】
なお、子機５０Ａ，５０Ｂは、電源をオン・オフするためのスイッチを備えていてもよい。また、図示例では、空気調和システム１０は、二つの子機５０Ａ，５０Ｂを備えているが、一つの子機のみを備えていてもよいし、三つ以上の複数の子機を備えていてもよい。
【００３２】
送風機３０は、送風機３０全体を制御する制御部３１と、通信部３２と、センサ部３３とを備える。送風機３０は、空気調和機１１と連動して動作することが可能である。また、送風機３０は、室内の任意の位置に配置することが可能であり、室内に移動可能に設置される。
【００３３】
制御部３１は、送風機３０の運転条件（風量、風向範囲、運転時間等）を制御する。
【００３４】
通信部３２は、空気調和機本体１２の通信部１５と同様に、例えば、ＷｉＦｉ、Ｂｌｕｅｔｏｏｔｈ、Ｗｉ−ＳＵＮ等の近距離無線通信方式、又は赤外線通信等で他の機器（空気調和機本体１２、リモコン４０及び子機５０Ａ，５０Ｂ）との間で通信するためのインターフェースである。
【００３５】
センサ部３３は、空気調和機本体１２のセンサ部２０と同様に、例えば、室内の人の有無を検出する人感センサ（人検出手段）、送風機３０周囲の温度を検出する温度センサ、送風機３０周囲の湿度を検出する湿度センサ、室内における空気調和機本体１２、リモコン４０及び子機５０Ａ，５０Ｂの位置を検出する位置検出センサ（位置検出手段）、風向センサ、風量センサ等を備えて構成される。人感センサ（人検出手段）は、室内の人の存在、動き及び位置の内の少なくとも一つを検出するものであり、例えば、赤外線センサ又は撮像装置により構成される。
【００３６】
なお、送風機３０は、電源をオン・オフするためのスイッチを少なくとも備えている。また、図示例では、空気調和システム１０は、一つの送風機３０のみを備えているが、二つ以上の複数の送風機を備えていてもよい。
【００３７】
［通信部の具体的構成例］
図２は、本技術を適用した一実施の形態に係る空気調和システム１０の機能ブロック図である。
【００３８】
図２に示す空気調和システム１０は、空気調和機１１と、送風機３０と、リモコン４０と、子機（マーカ）５０と、中継機器（ルータ）６０とを備える。
【００３９】
空気調和機１１の通信部１５と中継機器６０との間では、例えば、ＷｉＦｉによる無線通信が行われる。中継機器６０は、例えば、ＷｉＦｉによる無線通信を介して内部ネットワーク（ローカルエリアネットワーク）１００にある携帯端末、又はスマートスピーカ等のその他端末機器と接続される。また、中継機器６０は、例えば、インターネット回線を介して外部ネットワーク２００にあるクラウドサーバ等と接続される。
【００４０】
空気調和機１１の通信部１５とリモコン４０の通信部４２との間では、例えば、赤外線通信が行われる。
【００４１】
その一方で、空気調和機１１の通信部１５と送風機３０の通信部３２との間、及び、空気調和機１１の通信部１５と子機５０の通信部５１との間では、例えば、Ｂｌｕｅｔｏｏｔｈによる無線通信が行われる。
【００４２】
リモコン４０は、一般的に空気調和機１１に向けた状態で操作が行われるため、空気調和機１１との間に障害物がない状態で赤外線通信による通信をすることができる。一方、送風機３０及び子機５０は、置かれる場所によって空気調和機１１との間に障害物がある可能性があり、赤外線通信による通信では通信が不完全又は不安定になる可能性がある。そこで、空気調和機１１と送風機３０との間の通信、及び、空気調和機１１と子機５０との間の通信は、無線通信を採用することにより、空気調和機１１との間に障害物があっても情報の送受信を安定して行うことが可能になる。
【００４３】
［空気調和機と送風機とを連動する冷暖房運転時制御］
空気調和機１１は、冷暖房機能（冷房機能及び暖房機能）を備える。また、前述のように、空気調和機１１は、送風機３０と連動して動作することが可能である。
【００４４】
空気調和機１１の制御部１４は、空気調和機１１の冷暖房運転開始時に、空気調和機１１及び送風機３０の両方を運転条件が通常運転時よりも風量が増量される風量増量運転となるように制御する。
【００４５】
また、空気調和機１１の制御部１４は、空気調和機１１の冷暖房運転時において、室内情報検出手段（センサ部２０，３３，４５，５２）による室内情報の一つである室内温度が設定温度に到達したときに、空気調和機１１を運転条件が通常運転時よりも風量が抑制される風量抑制運転（省エネモード）となるように制御すると共に、送風機３０を運転条件が通常運転となるように制御する。なお、空気調和機１１の制御部１４は、室内温度を空気調和機１１に設けたセンサ部２０により取得してもよいし、送風機３０に設けたセンサ部３３により取得してもよいし、リモコン４０に設けたセンサ部４５により取得してもよいし、子機５０Ａ，５０Ｂ，５０に設けたセンサ部５２により取得してもよい。
【００４６】
空気調和機１１の運転開始から室内温度の設定温度到達までの期間は、空気調和機１１及び送風機３０を共に例えば最大運転（最大能力運転）で運転することにより、室内温度の設定温度到達を迅速に完了することが可能になる。また、室内温度の設定温度到達の後は、空気調和機１１からの風量をできる限り下げて、送風機３０の送風運転を主体的に行うことにより、冷暖房効率を向上させることが可能になる。
【００４７】
さらに、空気調和機１１の制御部１４は、空気調和機１１の冷暖房運転時において、室内情報検出手段（センサ部２０，３３，４５，５２）により室内に居る人が検出されているときに、空気調和機１１からの送風が室内に居る人に直接当たらないように空気調和機１１及び送風機３０を制御する。なお、空気調和機１１の制御部１４は、人の位置情報を空気調和機１１に設けたセンサ部２０により取得してもよいし、送風機３０に設けたセンサ部３３により取得してもよいし、リモコン４０に設けたセンサ部４５により取得してもよいし、子機５０Ａ，５０Ｂ，５０に設けたセンサ部５２により取得してもよい。
【００４８】
また、空気調和機１１の制御部１４は、空気調和機１１の冷房運転時において、室内温度又は人の表面温度が所定の閾値以上の場合は、空気調和機１１からの送風を人の存在する方向に向け、閾値よりも低い場合には、空気調和機１１からの送風を人の存在する方向に向けないようにしてもよい。
【００４９】
また、空気調和機１１の制御部１４は、空気調和機１１の暖房運転時において、室内温度又は人の表面温度が所定の閾値以下の場合は、空気調和機１１からの送風を人の存在する方向に向け、閾値よりも高い場合には、空気調和機１１からの送風を人の存在する方向に向けないようにしてもよい。
【００５０】
また、空気調和機１１の制御部１４は、空気調和機１１の定常運転時に、空気調和機１１からの送風を人の存在する方向に向けないようにし、空気調和機１１からの送風を主に送風機３０が配置される方向に向けるようにしてもよい。
【００５１】
空気調和機１１の冷房運転時に、室内の下側に溜まる傾向がある空気調和機１１からの冷気を送風機３０が循環させることにより、空気調和機１１の冷房効果を高めることができ、快適性を向上させることが可能になる。また、空気調和機１１からの送風が室内に居る人に直接当たらないようにすることにより、人の体への負担（冷え過ぎ）を低減することができ、快適性をより向上させることが可能になる。
【００５２】
空気調和機１１の冷房運転時に、空気調和機１１の運転開始から室内温度が設定温度に到達するまでの期間は空気調和機１１からの送風を例えば最大とし、室内温度が設定温度に到達した後には空気調和機１１からの送風を抑制することにより、省エネ効果（節電効果）を得ることが可能になる。一般的に、空気調和機１１の設定温度（冷房時の設定温度）を夏期に例えば２℃上げると、電気代を約２０％も節約できるとされている。
【００５３】
一方、空気調和機１１の暖房運転時に、室内の上側に溜まる傾向がある空気調和機１１からの暖気を送風機３０が循環させることにより、空気調和機１１の暖房効果を高めることができ、快適性を向上させることが可能になる。また、空気調和機１１からの送風が室内に居る人に直接当たらないようにすることにより、人の体への負担（温め過ぎ）を低減することができ、快適性をより向上させることが可能になる。
【００５４】
空気調和機１１の暖房運転時に、空気調和機１１の運転開始から室内温度が設定温度に到達するまでの期間は空気調和機１１からの送風を例えば最大とし、室内温度が設定温度に到達した後には空気調和機１１からの送風を抑制することにより、省エネ効果（節電効果）を得ることが可能になる。一般的に、空気調和機１１の設定温度（暖房時の設定温度）を冬期に例えば２℃下げると、電気代を約２０％も節約できるとされている。
【００５５】
［空気調和機と送風機とを連動する衣類乾燥運転時制御］
空気調和機１１は、その仕組み上、室内の水分を室外へ排出する除湿機能を備える。また、前述のように、空気調和機１１は、送風機３０と連動して動作することができ、空気調和システム１０は、空気調和機１１の除湿機能と送風機３０の送風とを用いて洗濯後の衣類の乾燥を促進させる衣類乾燥運転を実現することが可能である。
【００５６】
空気調和機１１の制御部１４は、衣類乾燥運転時（除湿運転時）に、空気調和機１１を運転条件が通常運転時よりも風量が抑制される風量抑制運転（省エネモード）となるように制御すると共に、送風機３０を運転条件が通常運転時よりも風量が増量される風量増量運転となるように制御する。
【００５７】
衣類乾燥運転時に、空気調和機１１は風量を下げて運転することにより、空気調和機１１による除湿量を十分に確保することが可能になる。また、衣類乾燥運転時には、送風機３０は風量を上げて運転することにより、洗濯物（衣類）の水気（水分）を飛ばして早く乾くようにすることができ、衣類の乾燥を効果的に促進することが可能になる。これらの相乗効果により、衣類乾燥までに要する時間を効果的に短縮することが可能になる。
【００５８】
空気調和機１１の制御部１４は、衣類乾燥時（除湿運転時）には、さらに、送風機３０からの送風が室内の衣類に直接当たるように送風機３０を制御する。なお、空気調和機１１の制御部１４は、衣類の位置情報を空気調和機１１に設けたセンサ部２０により取得してもよいし、送風機３０に設けたセンサ部３３により取得してもよいし、リモコン４０に設けたセンサ部４５により取得してもよいし、子機５０Ａ，５０Ｂ，５０に設けたセンサ部５２により取得してもよい。
【００５９】
また、空気調和機１１が、タイマー機能（自動運転停止機能）を備え、空気調和機１１の制御部１４は、タイマーの設定時間が経過したときに、空気調和機１１の運転を自動的に停止するようにしてもよい。
【００６０】
さらに、空気調和機１１の制御部１４は、タイマーの設定時間が経過していない場合であっても、室内情報検出手段（センサ部２０，３３，４５，５２）による室内情報（湿度センサによる室内の湿度）に基づいて、空気調和機１１の運転を自動的に停止するようにしてもよい。
【００６１】
［冷房運転時制御の一例］
本技術を適用した一実施の形態に係る空気調和システム１０の冷房運転時制御の一例を、図３に基づいて説明する。
【００６２】
図３は、本技術を適用した一実施の形態に係る空気調和システム１０の冷房運転時制御の一例を示すフローチャートである。
【００６３】
空気調和機１１の冷房運転が開始されると、ステップＳ１０では、空気調和機１１が運転条件を最大運転（最大能力運転）にして運転されると共に、送風機３０が運転条件を最大運転（最大能力運転）にして運転される。
【００６４】
ステップＳ１１では、リモコン４０のセンサ部４５により検出した室内温度が冷房運転時設定温度ＴＣ１よりも低いか否かを判定し、「ＹＥＳ」の場合はステップＳ１２に移行し、「ＮＯ」の場合にはステップＳ１１の判定処理を繰り返し行う。
【００６５】
ステップＳ１２では、空気調和機１１からの送風がリモコン４０のある場所以外へ送風されるように、空気調和機１１の風向き制御がなされる。
【００６６】
ステップＳ１３では、空気調和機１１のセンサ部２０により検出した室内温度が設定温度ＴＣ１よりも高いか否かを判定し、「ＹＥＳ」の場合はステップＳ１４に移行し、「ＮＯ」の場合にはステップＳ１３の判定処理を繰り返し行う。
【００６７】
ステップＳ１４では、空気調和機１１が運転条件を風量抑制運転（省エネモード）にして運転されると共に、送風機３０が運転条件を通常運転にして運転される。
【００６８】
ステップＳ１５では、リモコン４０のセンサ部４５により検出した室内温度が設定温度ＴＣ１よりも高いか否かを判定し、「ＹＥＳ」の場合はステップＳ１６に移行し、「ＮＯ」の場合にはステップＳ１５の判定処理を繰り返し行う。
【００６９】
ステップＳ１６では、リモコン４０のセンサ部４５により検出した室内温度が第２の冷房運転時設定温度（閾値）ＴＣ２よりも高いか否かを判定し、「ＹＥＳ」の場合はステップＳ１０に戻り、「ＮＯ」の場合にはステップＳ１７に移行する。なお、第２の設定温度ＴＣ２は、設定温度ＴＣ１よりも高く設定される。
【００７０】
ステップＳ１７では、送風機３０の運転条件を通常運転から強運転に変更し、ステップＳ１５に戻る。
【００７１】
なお、本制御処理は、空気調和機１１の運転モードが変更された場合、空気調和機１１及び送風機３０の内のいずれかの運転が停止された場合等に、終了するものとする。
【００７２】
［暖房運転時制御の一例］
本技術を適用した一実施の形態に係る空気調和システム１０の暖房運転時制御の一例を、図４に基づいて説明する。
【００７３】
図４は、本技術を適用した一実施の形態に係る空気調和システム１０の暖房運転時制御の一例を示すフローチャートである。
【００７４】
空気調和機１１の暖房運転が開始されると、ステップＳ２０では、空気調和機１１が運転条件を最大運転（最大能力運転）にして運転されると共に、送風機３０が運転条件を最大運転（最大能力運転）にして運転される。このとき、空気調和機１１から排出された暖められた空気を室内に循環させるために、送風機３０は送風方向を上向きになるように制御される。
【００７５】
ステップＳ２１では、リモコン４０のセンサ部４５により検出した室内温度が暖房運転時設定温度ＴＷ１よりも高いか否かを判定し、「ＹＥＳ」の場合はステップＳ２２に移行し、「ＮＯ」の場合にはステップＳ２１の判定処理を繰り返し行う。
【００７６】
ステップＳ２２では、空気調和機１１からの送風がリモコン４０のある場所以外へ送風されるように、空気調和機１１の風向き制御がなされる。このとき、空気調和機１１の運転条件は最大運転から通常運転に切り替えられる。
【００７７】
ステップＳ２３では、空気調和機１１のセンサ部２０により検出した室内温度が設定温度ＴＷ１よりも高いか否かを判定し、「ＮＯ」の場合はステップＳ２４に移行し、「ＹＥＳ」の場合にはステップＳ２３の判定処理を繰り返し行う。
【００７８】
ステップＳ２４では、空気調和機１１が運転条件を最大運転にして運転されると共に、送風機３０が運転条件を通常運転にして運転される。
【００７９】
ステップＳ２５では、リモコン４０のセンサ部４５により検出した室内温度が第２の暖房運転時設定温度（閾値）ＴＷ２よりも低いか否かを判定し、「ＹＥＳ」の場合はステップＳ２０に戻り、「ＮＯ」の場合にはステップＳ２５の判定処理を繰り返し行う。なお、第２の設定温度ＴＷ２は、設定温度ＴＷ１よりも低く設定される。
【００８０】
なお、本制御処理は、空気調和機１１の運転モードが変更された場合、空気調和機１１及び送風機３０の内のいずれかの運転が停止された場合等に、終了するものとする。
【００８１】
［衣類乾燥運転時制御の一例］
本技術を適用した一実施の形態に係る空気調和システム１０の衣類乾燥運転時制御の一例を、図５に基づいて説明する。
【００８２】
図５は、本技術を適用した一実施の形態に係る空気調和システム１０の衣類乾燥運転時制御の一例を示すフローチャートである。
【００８３】
空気調和機１１の衣類乾燥運転が開始されると、ステップＳ３０では、空気調和機１１が運転条件を風量抑制運転（省エネモード）にして運転されると共に、送風機３０が運転条件を最大運転（最大能力運転）にして運転される。
【００８４】
ステップＳ３１では、空気調和機１１の衣類乾燥運転開始から所定時間Ｔが経過したか否かを判定し、「ＮＯ」の場合にステップＳ３２に移行し、「ＹＥＳ」の場合は本制御処理を終了する。すなわち、「ＹＥＳ」の場合は、空気調和機１１の衣類乾燥運転（除湿運転）を停止する。
【００８５】
ステップＳ３２では、子機５０Ａ，５０Ｂ，５０のセンサ部５２により検出した室内湿度が所定湿度Ｈよりも低いか否かを判定し、「ＹＥＳ」の場合はステップＳ３１に戻り、「ＮＯ」の場合にはステップＳ３２の判定処理を繰り返す。
【００８６】
[その他の実施の形態]
上記のように、実施の形態によって記載したが、この開示の一部をなす論述及び図面は例示的なものであり、これに限定するものであると理解すべきではない。この開示から当業者には様々な代替実施の形態、実施例及び運用技術が明らかとなろう。
【００８７】
このように、本実施の形態はここでは記載していない様々な実施の形態などを含む。
【産業上の利用可能性】
【００８８】
本実施の形態の空気調和システムは、一般家庭及びオフィス等において、冷房、暖房及び除湿等に適用することができる。
【符号の説明】
【００８９】
１０…空気調和システム、１１…空気調和機、１２…空気調和機本体、１３…室外機、１４…制御部、１５…通信部（通信手段）、１６…熱交換器、１７…室内ファン、１８…上下風向板、１９…左右風向板、２０…センサ部（室内情報検出手段）、２１…圧縮機、２２…熱交換器、２３…室外ファン、３０…送風機、３１…制御部、３２…通信部（通信手段）、３３…センサ部（室内情報検出手段）、４０…リモコン（端末装置）、４１…制御部、４２…通信部（通信手段）、４３…操作部、４４…表示部、４５…センサ部（室内情報検出手段）、５０Ａ，５０Ｂ，５０…子機（マーカ、端末装置）、５１…通信部（通信手段）、５２…センサ部（室内情報検出手段）、６０…中継機器（ルータ）、１００…内部ネットワーク、２００…外部ネットワーク、Ｍ１…第一モータ、Ｍ２…第二モータ
【図１】
2019184218.tif 000003
【図２】
2019184218.tif 000004
【図３】
2019184218.tif 000005
【図４】
2019184218.tif 000006
【図５】
2019184218.tif 000007